(57)【要約】【課題】視聴予約したコンテンツに繋がる内容のコンテンツがある場合、視聴予約したコンテンツより前の内容をユーザに確認させる。【解決手段】記録再生装置は、記憶部、コンテンツ再生部、及び要約生成部を備える。記憶部は、コンテンツの視聴予約の日時が設定される視聴予約情報、及び、同じシリーズのコンテンツを管理するためのコンテンツ管理情報を格納する。コンテンツ再生部は、視聴予約情報に基づいて第１コンテンツを再生する。要約生成部は、第１コンテンツに対応するコンテンツ管理情報に基づいて、第１コンテンツよりも前の内容を有する第２コンテンツを要約した要約コンテンツを生成する。また、コンテンツ再生部は、第１コンテンツの視聴予約時刻の直前の時間帯に視聴予約が設定されていない場合、要約コンテンツを直前の時間帯に再生する。【選択図】図５
2015019217.tif 000002
【特許請求の範囲】
【請求項１】
コンテンツの視聴予約の日時が設定される視聴予約情報、及び、同じシリーズの前記コンテンツを管理するためのコンテンツ管理情報を格納する記憶部と、
前記視聴予約情報に基づいて前記第１コンテンツを再生するコンテンツ再生部と、
前記第１コンテンツに対応する前記コンテンツ管理情報に基づいて、前記第１コンテンツよりも前の内容を有する第２コンテンツを要約した要約コンテンツを生成する要約生成部と、
を備え、
前記コンテンツ再生部は、前記第１コンテンツの視聴予約時刻の直前の時間帯に視聴予約が設定されていない場合、前記要約コンテンツを前記直前の時間帯に再生することを特徴とする記録再生装置。
【請求項２】
前記コンテンツ管理情報は前記コンテンツの視聴履歴を有し、
前記要約生成部は、前記第２コンテンツにおいて前記第１コンテンツの直前のコンテンツが未視聴である場合、視聴済みである場合よりも前記直前のコンテンツを詳細な内容に要約することを特徴とする請求項１に記載の記録再生装置。
【請求項３】
前記コンテンツ管理情報は前記コンテンツの視聴履歴を有し、
前記要約生成部は、前記第１コンテンツの直前の内容のコンテンツが前記視聴予約時刻から一定時間以内に視聴済みである場合、前記要約コンテンツを生成しないことを特徴とする請求項１または請求項２に記載の記録再生装置。
【請求項４】
前記第２コンテンツは複数のコンテンツを含み、
前記要約コンテンツは、複数の前記コンテンツ毎に要約した部分要約コンテンツを含むことを特徴とする請求項１〜請求項３のいずれかに記載の記録再生装置。
【請求項５】
前記要約生成部は、未視聴のコンテンツから生成される部分要約コンテンツの時間長を視聴済みのコンテンツから生成される部分要約コンテンツよりも長くすることを特徴とする請求項４に記載の記録再生装置。
【請求項６】
ユーザ入力を受け付ける入力部と、
前記ユーザ入力に基づいて、前記要約コンテンツの生成条件の設定を変更する設定変更部と、
をさらに備えることを特徴とする請求項１〜請求項５のいずれかに記載の記録再生装置。
【請求項７】
前記コンテンツ再生部は、前記第１コンテンツの視聴予約時刻の直前の時間帯に第３コンテンツが再生される場合、前記第３コンテンツとともに前記要約コンテンツを再生し、
前記第３コンテンツの表示画面の一部には前記要約コンテンツが重ねて表示されることを特徴とする請求項１〜請求項６のいずれかに記載の記録再生装置。
【発明の詳細な説明】
【技術分野】
【０００１】
本発明は、視聴予約されたコンテンツを再生する記録再生装置に関する。
【背景技術】
【０００２】
近年、たとえば特許文献１のように視聴予約機能を備えたテレビジョン受像機などが知られている。ユーザは、この機能を用いて、所望のＴＶ番組又は録画番組などのコンテンツを所望の日時に視聴することを予約しておくことができる。このように視聴予約しておくと、予約した日時になれば、テレビジョン受像機に所望のコンテンツが表示される。そのため、ユーザは所望のコンテンツを所望の日時に視聴できる。
【先行技術文献】
【特許文献】
【０００３】
【特許文献１】特開２０１１−１０３５２５号公報
【発明の概要】
【発明が解決しようとする課題】
【０００４】
ところで、視聴予約したコンテンツが連続ドラマなどのシリーズものである場合、ユーザは前回までの内容を忘れている場合がある。しかしながら、従来の視聴予約機能では、前回までのコンテンツのあらすじを確認することはできなかった。また、特許文献１では、視聴予約時刻に再生するコンテンツの内容をユーザに通知しているが、前回までのあらすじをユーザに確認させることについては何ら考慮していない。
【０００５】
本発明は、このような状況を鑑みてなされたものであり、視聴予約したコンテンツに繋がる内容のコンテンツがある場合、視聴予約したコンテンツよりも前の内容をユーザに確認させることができる記録再生装置を提供することを目的とする。
【課題を解決するための手段】
【０００６】
上記目的を達成するために、本発明の一の局面による記録再生装置は、コンテンツの視聴予約の日時が設定される視聴予約情報、及び、同じシリーズのコンテンツを管理するためのコンテンツ管理情報を格納する記憶部と、視聴予約情報に基づいて第１コンテンツを再生するコンテンツ再生部と、第１コンテンツに対応するコンテンツ管理情報に基づいて、第１コンテンツよりも前の内容を有する第２コンテンツを要約した要約コンテンツを生成する要約生成部と、を備え、コンテンツ再生部は、第１コンテンツの視聴予約時刻の直前の時間帯に視聴予約が設定されていない場合、要約コンテンツを直前の時間帯に再生する。
【０００７】
上記構成によれば、第１コンテンツの視聴予約時刻の直前の時間帯に視聴予約が設定されていない場合、その時間帯に要約コンテンツが再生される。この要約コンテンツには、同じシリーズの複数のコンテンツのうち、第１コンテンツよりも前の内容を有する第２コンテンツが要約されている。そのため、第１コンテンツを視聴するユーザは、その視聴予約時刻の直前に要約コンテンツを視聴することにより第１コンテンツよりも前のあらすじを確認することができる。従って、視聴予約したコンテンツに繋がる内容のコンテンツがある場合、視聴予約したコンテンツよりも前の内容をユーザに確認させることができる。
【０００８】
また、上記構成において、コンテンツ管理情報はコンテンツの視聴履歴を有し、要約生成部は、第２コンテンツにおいて第１コンテンツの直前のコンテンツが未視聴である場合、視聴済みである場合よりも、直前のコンテンツを詳細な内容に要約してもよい。
【０００９】
この構成によれば、視聴予約した第１コンテンツの直前の内容のコンテンツ（すなわち前回のコンテンツ）は、未視聴であれば、詳細な内容に要約される。そのため、ユーザは、第１コンテンツの前回のあらすじをより詳細に知ることができる。
【００１０】
また、上記構成において、コンテンツ管理情報はコンテンツの視聴履歴を有し、要約生成部は、第１コンテンツの直前の内容のコンテンツが視聴予約時刻から一定時間以内に視聴済みである場合、要約コンテンツを生成しなくてもよい。
【００１１】
視聴予約した第１コンテンツの直前の内容のコンテンツ（すなわち前回のコンテンツ）が視聴予約時刻から一定時間以内に視聴済みであれば、通常、ユーザはその内容を十分に憶えている。そのため、上記構成により、確認する必要が低い要約コンテンツを再度ユーザに確認させないようにすることができる。
【００１２】
また、上記構成において、第２コンテンツは複数のコンテンツを含み、要約コンテンツは、複数のコンテンツ毎に要約した部分要約コンテンツを含んでもよい。
【００１３】
この構成によれば、視聴予約したコンテンツより以前の複数のコンテンツの要約を十分に確認することができる。そのため、ユーザは、前回のコンテンツだけでなく、たとえば前々回のコンテンツなどの内容も確認することができる。
【００１４】
さらに、上記構成において、要約生成部は、未視聴のコンテンツから生成される部分要約コンテンツの時間長を視聴済みのコンテンツから生成される部分要約コンテンツよりも長くしてもよい。
【００１５】
この構成によれば、視聴予約した第１コンテンツよりも前の内容を有する第２コンテンツのうち、未視聴のコンテンツの内容をより詳しく確認することができる。また、視聴済みのコンテンツの内容は手短に確認できるので、ユーザはストレスなく要約コンテンツを視聴して前回までの内容を確認することができる。
【００１６】
また、上記構成において、ユーザ入力を受け付ける入力部と、ユーザ入力に基づいて、要約コンテンツの生成条件の設定を変更する設定変更部と、をさらに備えていてもよい。
【００１７】
この構成によれば、ユーザは、要約コンテンツの生成条件の設定を変更することができるので、ユーザの好みに合う要約コンテンツを作成することができる。
【００１８】
また、上記構成において、コンテンツ再生部は、第１コンテンツの視聴予約時刻の直前の時間帯に第３コンテンツが再生される場合、第３コンテンツとともに要約コンテンツを再生し、第３コンテンツの表示画面の一部には要約コンテンツが重ねて表示されてもよい。
【００１９】
この構成によれば、第１コンテンツの視聴予約時刻の直前の時間帯に視聴予約が設定されていたり、他のコンテンツが視聴されていたりしても、表示画面の一部に要約コンテンツを表示させることができる。そのため、ユーザは要約コンテンツを確実に確認することができる。従って、ユーザは容易に要約コンテンツを視聴して前回までの内容を確認することができる。
【発明の効果】
【００２０】
本発明によれば、視聴予約したコンテンツに繋がる内容のコンテンツがある場合、視聴予約したコンテンツより前の内容をユーザに確認させることができる記録再生装置を提供することができる。
【図面の簡単な説明】
【００２１】
【図１】第１実施形態に係る液晶テレビジョンの外観を示す概略斜視図である。
【図２】第１実施形態に係る液晶テレビジョンの構成を示すブロック図である。
【図３】ＥＰＧ表示画面の一例である。
【図４】第１実施形態における視聴予約表の登録画面の一例である。
【図５】ダイジェストの生成及び視聴予約設定の手順の一例を示すフローチャートである。
【図６Ａ】第１実施例に係るダイジェストの構成の一例である。
【図６Ｂ】第１実施例に係るダイジェストの構成の他の一例である。
【図６Ｃ】第１実施例に係るダイジェストの構成の他の一例である。
【図７Ａ】第２実施例に係るダイジェストの構成の一例である。
【図７Ｂ】第２実施例に係るダイジェストの構成の他の一例である。
【図８Ａ】第３実施例に係るダイジェストの構成の一例である。
【図８Ｂ】第３実施例に係るダイジェストの構成の他の一例である。
【図９】第２実施形態における視聴予約表の表示画面の一例である。
【図１０】第２実施形態におけるダイジェストの表示例である。
【図１１】第３実施形態に係るＳＴＢを液晶テレビジョンに接続した画像出力システムの外観図である。
【図１２】第３実施形態に係るＳＴＢの構成を示すブロック図である。
【発明を実施するための形態】
【００２２】
以下に、図面を参照して、本発明の実施形態を説明する。
＜第１実施形態＞
【００２３】
視聴予約機能を有する液晶テレビジョン１００について説明する。図１は、本発明の実施形態に係る液晶テレビジョンの外観を示す概略斜視図である。図２は、本発明の実施形態に係る液晶テレビジョンの構成を示すブロック図である。
【００２４】
第１実施形態における液晶テレビジョン１００は、本発明の記録再生装置の一例であり、図１に示すように、リモートコントローラ２００（以下、リモコン２００と呼ぶ。）を介したユーザ入力により操作可能なテレビジョン受像機である。図２に示すように、液晶テレビジョン１００は、チューナ部１と、液晶ディスプレイ２と、スピーカ３と、入出力Ｉ／Ｆ４と、赤外線受信部５と、ＨＤＤ（Hard Disk Drive）６と、記憶部７と、制御部８と、を備えている。このほか、液晶テレビジョン１００は、ユーザ入力を受け付ける入力部（操作パネルなど）をさらに備えていてもよい。
【００２５】
チューナ部１は、アンテナ１ａを介して放送局から放送される各チャンネルの放送信号を受信し、受信した放送信号の復調処理などにより映像信号、音声信号、電子番組表（ＥＰＧ：Electronic Program Guide）情報を取得して、制御部８に出力する。
【００２６】
液晶ディスプレイ２は、制御部８から出力される映像信号に基づく映像を表示する表示部である。たとえば、液晶ディスプレイ２は、チューナ部１により受信されたＴＶ番組の映像、ＨＤＤ６又は外部機器から供給されるコンテンツの映像、及び、後述する視聴計画表などを表示画面１０１に表示する。スピーカ３は、制御部８から出力される音声信号に基づく音声を出力する音声出力部である。
【００２７】
入出力Ｉ／Ｆ４は、液晶テレビジョン１００が外部機器と通信するための通信インターフェースである。この入出力Ｉ／Ｆ４は、たとえば、ＨＤＭＩ（登録商標）規格に準拠するＨＤＭＩ通信部（不図示）、インターネットなどのネットワークに接続可能なネットワークインターフェースなどを含んで構成されている。
【００２８】
赤外線受信部５は、リモコン２００などの外部入力デバイスから出力される赤外線信号を受信し、赤外線信号に基づくユーザ入力信号を制御部８に出力する。なお、赤外線受信部５及びリモコン２００は、本発明の入力部の一例である。
【００２９】
記憶部７は、不揮発性の記録媒体であり、液晶テレビジョン１００の各部（特に制御部８）に用いられるプログラム及び制御情報を格納している。また、記憶部７は、図２に示すように、ＥＰＧ情報７ａと、録画予定情報７ｂと、視聴予約情報７ｃと、視聴不可予定情報７ｄと、コンテンツ管理情報７ｅと、を格納している。
【００３０】
録画予定情報７ｂには、ユーザ入力により、録画予約したＴＶ番組（放送コンテンツ）のチャンネル及び放送時間などが設定されている。
【００３１】
視聴予約情報７ｃには、ユーザ入力により、ユーザ専用の仮想チャンネルで再生するコンテンツの視聴予約が設定されている。以下では、ユーザ専用の仮想チャンネルをＭｙチャンネルと呼ぶ。再生されるコンテンツは、たとえば、ＴＶ番組などの放送コンテンツ、ＨＤＤ６に格納されたコンテンツ（録画番組など）、又は入出力Ｉ／Ｆ４を介して外部機器から配信されるコンテンツなどである。また、視聴予約が設定される際には、たとえば、コンテンツを視聴する日時（日付及び時間帯）、放送コンテンツのチャンネル番号又はコンテンツの格納アドレス、及びコンテンツ名などが視聴予約情報７ｃに記憶される。
【００３２】
ここで、Ｍｙチャンネルについて説明しておく。Ｍｙチャンネルは、視聴予約したコンテンツ（以下、第１コンテンツと呼ぶ。）が視聴予約の通りに再生される出力系統のことである。Ｍｙチャンネルは、たとえば、地上波放送、ＢＳ放送、及びＣＳ放送などの放送コンテンツ、その他の外部入力から配信されるコンテンツなどに専用の一般的な出力系統とは独立している。ただし、Ｍｙチャンネルで再生されるコンテンツは、特に限定はない。視聴予約されていれば、放送コンテンツ、ＨＤＤ６等の記憶装置に格納された録画コンテンツ、入出力Ｉ／Ｆ４を介して接続された外部機器（たとえばＢＤレコーダ）又はネットワーク上のサーバから配信される配信コンテンツなども再生させることができる。ユーザは、視聴予約した時間帯にＭｙチャンネルを選局すれば、視聴予約した第１コンテンツを視聴することができる。
【００３３】
視聴不可予定情報７ｄは、ユーザ入力により、ユーザが視聴を予定しない日付及び時間帯を記憶している。また、視聴不可予定情報７ｄは、液晶テレビジョン１００の電源を自動的にＯＦＦにする時間、節電モードで動作する時間帯なども記憶できる。
【００３４】
コンテンツ管理情報７ｅには、連続ドラマなどの同じシリーズのコンテンツ（群）を管理するためのデータが記憶されている。たとえば、コンテンツ管理情報７ｅは、コンテンツ名、データ長、再生時間長、視聴履歴、コンテンツのメタ情報（登場する人物名、俳優及び監督の名前、制作日など）などをコンテンツ毎に記憶している。
【００３５】
ＨＤＤ６は、大容量の記憶装置であり、チューナ部１により受信されたＴＶ番組を録画したコンテンツ、及び外部から取得したコンテンツなどの様々なコンテンツを格納している。
【００３６】
制御部８は、記憶部７に格納されているプログラム及び制御情報などを用いて、液晶テレビジョン１００の各部を制御している。制御部８は、コンテンツ再生部８１と、録画部８２と、ＥＰＧ取得部８３と、視聴計画生成部８４と、ダイジェスト生成部８５と、設定変更部８６と、を含んで構成されている。
【００３７】
コンテンツ再生部８１は、視聴予約情報７ｃに基づいて、視聴予約した第１コンテンツをＭｙチャンネルで再生する。視聴予約した第１コンテンツは、たとえば、チューナ部１が受信した放送コンテンツ、ＨＤＤ６に格納された録画番組などのコンテンツ、及び入出力Ｉ／Ｆ４を介して外部機器から入力されるコンテンツなどである。そのため、ユーザが第１コンテンツの視聴予約時刻にＭｙチャンネルを選局すると、液晶ディスプレイ２には第１コンテンツの映像が表示され、スピーカ３からは第１コンテンツの音声が出力される。また、コンテンツ再生部８１は、ユーザ入力に基づいて、後述する視聴計画表、ＥＰＧ情報７ａに基づく電子番組表、表示可能なコンテンツの一覧表示などを液晶ディスプレイ２に表示させることもできる。
【００３８】
また、コンテンツ再生部８１は、視聴予約した第１コンテンツの視聴予約時刻の直前の時間帯に他の視聴予約が設定されていない場合、その直前の時間帯に後述するダイジェストコンテンツをＭｙチャンネルで再生する。
【００３９】
録画部８２は、ユーザ入力又は録画予定情報７ｂに基づいて、チューナ部１が受信したＴＶ番組（放送コンテンツ）をＨＤＤ６に録画する。ＥＰＧ取得部８３は、チューナ部１が受信した放送信号からＥＰＧ情報７ａを取得し、記憶部７に格納させる。
【００４０】
視聴計画生成部８４は、記憶部７に格納された視聴予約情報７ｃ、及び視聴不可予定情報７ｄに基づいて視聴計画を時間軸に沿って表した視聴計画表を生成する。
【００４１】
ダイジェスト生成部８５は、視聴予約した第１コンテンツに対応するコンテンツ管理情報７ｅに基づいてダイジェストコンテンツ（以下、ダイジェストと呼ぶ。）を生成する。なお、ダイジェスト生成部８５は本発明の要約生成部の一例である。
【００４２】
ダイジェストは、第１コンテンツと同じシリーズのコンテンツのうち、第１コンテンツよりも前の内容を有するコンテンツ（以下、第２コンテンツと呼ぶ。）を要約（編集）した要約コンテンツである。このダイジェストは１又は複数の部分要約コンテンツ（以下、部分ダイジェストと呼ぶ。）を含んで構成されている。各部分ダイジェストは第２コンテンツに含まれる１又は複数の各コンテンツを所定の時間長に要約（編集）することにより生成されている。たとえば、第１〜第６話がＨＤＤ６に格納されている連続ドラマの第７話が視聴予約される場合、ダイジェスト生成部８５は、第１〜第６話の各コンテンツを要約した各部分ダイジェストを生成する。さらに、ダイジェスト生成部８５は、これらの部分ダイジェストを含んで構成されるダイジェストを作成する。なお、ダイジェストの作成方法については後に詳述する。
【００４３】
設定変更部８６は、ユーザ入力に基づいて、ダイジェスト及び部分ダイジェストの生成条件の設定を変更する。たとえば、設定変更部８６は、ダイジェストの時間長、ダイジェストに含まれる部分ダイジェストの構成、各部分ダイジェストの時間長、各部分ダイジェストに含まれる映像及び音声などの設定を変更することができる。
【００４４】
次に、視聴予約機能について、ＥＰＧ情報７ａを用いて放送コンテンツの視聴予約を登録する場合を例に挙げて説明する。図３はＥＰＧ表示画面の一例である。また、図４は、第１実施形態における視聴予約表の登録画面の一例である。なお、図３及び図４において、ユーザは連続ドラマの第７話の放送コンテンツの視聴予約を登録しようとしている。また、以下では、連続ドラマ（「シリーズもの」の一例）の第ｎ話（ｎは１以上の正の整数）のコンテンツを単に「第ｎ話」と呼ぶ。
【００４５】
図３において、ユーザ入力によりＥＰＧ番組表Ｅ内の「連続ドラマ第７話」の表示領域Ｔ１上にカーソルＣが移動すると、ポップアップ画面Ｐ１が表示される。このポップアップ画面Ｐ１には「視聴予約」、「録画予約」、及び「視聴計画」の項目が一覧表示されており、これらの項目のいずれかが選択されると、選択された項目に応じた処理を「第７話」に行う。たとえば、ユーザ入力により、ポップアップ画面Ｐ１の中から「視聴計画」が選択されると、図４のような視聴予約の登録画面が液晶ディスプレイ２に表示される。
【００４６】
視聴予約の登録画面には、図４に示すように、ＥＰＧ情報７ａの内容を表示するＥＰＧ番組表Ｅと、ユーザの視聴計画表Ｆとが同時に表示される。なお、ＥＰＧ番組表Ｅは、図３で選択されたＴＶ番組Ｔ１のチャンネル列（ＣＨ２）のみを表示している。視聴計画表Ｆ内のＧ１、Ｇ２、Ｒ、Ｈは、既に登録済みの時間帯である。たとえば、時間帯Ｇ１では録画コンテンツが視聴予約（５／１７  ＰＭ５：００〜ＰＭ６：３０）され、時間帯Ｇ２では放送コンテンツが視聴予約（５／１７  ＰＭ６：３０〜ＰＭ８：００）されている。時間帯ＲではＴＶ番組（５／１９  ＰＭ７：００〜ＰＭ８：００）が録画予約されている。また、時間帯Ｈは、ユーザの外出予定（５／２４  ＰＭ５：３０〜ＰＭ７：００）であり、ユーザが視聴を予定しない時間帯を示している。
【００４７】
図４において、ユーザ入力により、ＥＰＧ番組表Ｅ内の「連続ドラマ第７話」が選択された状態でカーソルＣが移動すると、ＴＶ番組Ｔ１の表示画像と同一の表示画像ＴＭ１が表示され、カーソルＣとともに移動する。次に、ユーザ入力により、視聴計画表Ｆ内の位置Ｑが選択されると、位置Ｑに対応する日時が算出される。たとえば、視聴計画表Ｆ内の位置Ｑは、「５／２１  ＰＭ５：３０」に対応している。そのため、「５／２１  ＰＭ５：３０」を視聴開始時刻として、時間長が９０［ｍｉｎ］のＴＶ番組Ｔ１が「５／２１  ＰＭ５：３０〜ＰＭ７：００」の時間帯Ｇ３に視聴予約される。そして、この視聴予約が視聴予約情報７ｃに設定される。
【００４８】
ここで、図４では、時間帯Ｇ３の直前の時間帯には、視聴予約は設定されていない。そのため、「連続ドラマ第７話」の視聴予約の時間帯Ｇ３の直前の時間帯ｇ（たとえば５／２１  ＰＭ５：２８〜ＰＭ５：３０）に、「連続ドラマ第７話」以前の内容を要約したダイジェストの再生予定が設定される。すなわち、時間帯Ｇ３の開始時刻「５／２１  ＰＭ５：３０」を終点とする所定の時間長の時間帯ｇにダイジェストの視聴予約が設定される。
【００４９】
なお、図４では、時間帯Ｇ１の視聴予約が時間帯Ｇ２の直前に設定されている。そのため、時間帯Ｇ２に視聴予約の放送コンテンツがシリーズものであったとしても、時間帯Ｇ２の直前にダイジェストの視聴予約が設定されない。
【００５０】
また、上述の説明ではＴＶ番組の視聴予約について説明したが、ＨＤＤ６に格納されたコンテンツ、及び、入出力Ｉ／Ｆ４を介して外部機器からの配信コンテンツを視聴予約する場合も同様にして行うことができる。
【００５１】
次に、ダイジェストが生成されてその視聴予約が設定される手順について説明する。図５は、ダイジェストの生成及び視聴予約設定の手順の一例を示すフローチャートである。
【００５２】
コンテンツの視聴予約が設定されると、図５に示すように、視聴予約した時間帯の直前の時間帯の視聴予約が未設定であるか否かが判定される（ステップＳ１）。直前の時間帯の視聴予約が未設定ではない場合（ステップＳ１でＮＯ）、ダイジェストの生成及び視聴予約が中止され、図５の処理が終了する。
【００５３】
直前の時間帯の視聴予約が未設定である場合（ステップＳ１でＹＥＳ）、視聴予約した第１コンテンツに対応するコンテンツ管理情報７ｅに基づいて、視聴予約した第１コンテンツがシリーズものの第２話以降であるか否かが判定される（ステップＳ２）。シリーズものでない場合又はシリーズものの第１話である場合（ステップＳ２でＮＯ）、ダイジェストの生成及び視聴予約が中止され、図５の処理が終了する。
【００５４】
シリーズものの第２話以降である場合（ステップＳ２でＹＥＳ）、コンテンツ管理情報７ｅに基づいて、視聴予約した第１コンテンツの直前の内容を有するコンテンツ（前回のコンテンツ）が視聴予約時刻から一定時間以内に未視聴であるか否かが判定される（ステップＳ３）。一定時間以内に視聴されている場合（ステップＳ３でＮＯ）、ダイジェストの生成及び視聴予約が中止され、図５の処理が終了する。
【００５５】
一定時間以内に視聴されていない場合（ステップＳ３でＹＥＳ）、コンテンツ管理情報７ｅに基づいて、視聴予約した第１コンテンツの直前の内容を有するコンテンツ（前回のコンテンツ）がこれまでに未視聴であるか否かが判定される（ステップＳ４）。これまでに視聴されたことがない場合（ステップＳ４でＹＥＳ）、時間長がたとえば１２０秒の詳細なダイジェストが生成される（ステップＳ５）。たとえば、視聴予約した第１コンテンツがシリーズものの「第２話」である場合、「第１話」の冒頭の１２０秒分を抽出して、ダイジェストを作成する。また、視聴予約した第１コンテンツがシリーズものの「第３話」である場合、「第１話」の冒頭の８０秒分を抽出した部分ダイジェストと、「第２話」の冒頭の４０秒分を抽出した部分ダイジェストとを作成する。また、視聴予約した第１コンテンツがシリーズものの「第ｎ話（ｎは４以上の整数）」である場合、直近の３つのコンテンツの部分ダイジェストを作成する。具体的には、「第（ｎ−１）話」の冒頭の７０秒分を抽出し、「第（ｎ−２）話」の冒頭の３０秒分を抽出し、「第（ｎ−３）話」の冒頭の２０秒分を抽出して、各部分ダイジェストを作成する。そして、処理がステップＳ７に進められる。
【００５６】
一方、これまでに視聴されたことがある場合（ステップＳ４でＮＯ）、時間長がたとえば６０秒の通常のダイジェストが生成される（ステップＳ６）。たとえば、視聴予約した第１コンテンツがシリーズものの「第２話」である場合、「第１話」のコンテンツの冒頭の６０秒分を抽出して、ダイジェストを作成する。また、視聴予約した第１コンテンツがシリーズものの「第３話」である場合、「第１話」の冒頭の４０秒分を抽出した部分ダイジェストと、「第２話」の冒頭の２０秒分を抽出した部分ダイジェストとを作成する。また、視聴予約した第１コンテンツがシリーズものの「第ｎ話（ｎは４以上の整数）」である場合、直近の３つのコンテンツの部分ダイジェストを作成する。具体的には、「第（ｎ−１）話」の冒頭の３５秒分を抽出し、「第（ｎ−２）話」の冒頭の１５秒分を抽出し、「第（ｎ−３）話」のコンテンツの冒頭の１０秒分を抽出して、各部分ダイジェストを作成する。そして、処理がステップＳ７に進められる。
【００５７】
ステップＳ７では、視聴予約した第１コンテンツの直前の時間帯に生成されたダイジェストの視聴予約が設定される。ダイジェストの視聴予約時刻がきて、ダイジェストが再生されると、視聴予約した第１コンテンツに対応するコンテンツ管理情報７ｅの視聴履歴が編集される（ステップＳ８）。具体的には、視聴予約した第１コンテンツの視聴履歴を示す視聴フラグが視聴ありに変更され、一定時間以内での視聴履歴を示す一定時間内視聴フラグもありに設定される。なお、一定時間内視聴フラグは、視聴予約時刻から一定時間経過すると、自動的になしに設定される。そして、図５の処理が終了する。
【００５８】
なお、上述の説明では、詳細なダイジェストの時間長を１２０秒と例示し、通常のダイジェストの時間長を６０秒と例示しているが、各ダイジェストの時間長は上述の例示に限定されない。詳細なダイジェストの時間長は通常のダイジェストの時間長よりも長く設定されていればよい。また、これらの時間長は、ユーザ入力により設定変更可能である。
【００５９】
次に、視聴予約するコンテンツに対して作成されるダイジェストＤの構成について、実施例１〜３を挙げて説明する。なお、以下に説明する、ダイジェストＤ及び部分ダイジェストの生成条件の設定は、ユーザ入力に基づいて変更可能となっている。
（第１実施例）
【００６０】
第１実施例では、視聴予約する「第ｎ話（ｎは１以上の正の整数）」の第１コンテンツから１話以上前までのコンテンツを用いて、ダイジェストＤが生成される。また、各部分ダイジェストの時間長は均等に配分される。図６Ａ〜図６Ｃは、第１実施例に係るダイジェストＤの構成の一例である。たとえば、ダイジェストＤは、前回（過去１話分）のコンテンツから生成される部分ダイジェストを含んで構成されてもよいし、過去２話分のコンテンツから各々生成される２つの部分ダイジェストを含んで構成されてもよい（図６Ａ）。或いは、過去３話分のコンテンツから各々生成される３つの部分ダイジェストを含んで構成されてもよいし（図６Ｂ）、過去４話分のコンテンツから各々生成される４つの部分ダイジェストを含んで構成されてもよい（図６Ｃ）。若しくは、視聴予約するコンテンツ以前の全てのコンテンツから各々生成される部分ダイジェストを含んで構成されてもよい。
【００６１】
また、各部分ダイジェストの時間長は均等に配分される。たとえば、図６Ａの場合、時間長ＴのダイジェストＤに対して、「第（ｎ−１）話」及び「第（ｎ−２）話」の各部分ダイジェストの時間長ｔ（ｎ−１）、ｔ（ｎ−２）がそれぞれ同じ時間長（Ｔ／２）に設定される。また、図６Ｂの場合、「第（ｎ−１）話」〜「第（ｎ−３）話」の各部分ダイジェストの時間長ｔ（ｎ−１）、ｔ（ｎ−２）、ｔ（ｎ−３）がそれぞれ同じ時間長（Ｔ／３）に設定される。また、図６Ｃの場合、「第（ｎ−１）話」〜「第（ｎ−４）話」の各部分ダイジェストの時間長ｔ（ｎ−１）、ｔ（ｎ−２）、ｔ（ｎ−３）、ｔ（ｎ−４）がそれぞれ同じ時間長（Ｔ／４）に設定される。
（第２実施例）
【００６２】
第２実施例では、視聴予約する「第ｎ話（ｎは１以上の正の整数）」の第１コンテンツから１話以上前までのコンテンツを用いてダイジェストＤが生成されるが、各部分ダイジェストの時間長は不均等に配分される。図７Ａ及び図７Ｂは、第２実施例に係るダイジェストＤの構成の一例である。
【００６３】
たとえば、ダイジェストＤが過去４話分のコンテンツの部分ダイジェストを含んで構成される場合、図７Ａのように、「第ｎ話」により近い回のコンテンツから生成される部分ダイジェストほど、その時間長が長くなるようにしてもよい。すなわち、「第（ｎ−１）話」〜「第（ｎ−４）話」からそれぞれ生成される部分ダイジェストの各時間長ｔ（ｎ−１）〜ｔ（ｎ−４）を”ｔ（ｎ−１）＞ｔ（ｎ−２）＞ｔ（ｎ−３）＞ｔ（ｎ−４）”となるように配分してもよい。
【００６４】
或いは、図７Ｂのように、「第ｎ話」により遠い回のコンテンツから生成される部分ダイジェストほど、その時間長が長くなるようにしてもよい。すなわち、「第（ｎ−１）話」〜「第（ｎ−４）話」から生成される部分ダイジェストの各時間長ｔ（ｎ−１）〜ｔ（ｎ−４）を”ｔ（ｎ−１）＜ｔ（ｎ−２）＜ｔ（ｎ−３）＜ｔ（ｎ−４）”となるように配分してもよい。
【００６５】
なお、部分ダイジェストの各時間長の配分比は特に限定しない。配分比は、一定であってもよいし、不均一であってもよい。また、連続する部分ダイジェストの各時間長の差は、たとえば数秒程度となるように小さくしてもよいし、たとえば数十秒程度となるように大きくしてもよい。
（第３実施例）
【００６６】
第３実施例では、視聴予約する「第ｎ話（ｎは１以上の正の整数）」の第１コンテンツ以前のコンテンツのうち、未視聴のコンテンツの部分ダイジェストの時間長が視聴済みのコンテンツの部分ダイジェストよりも長く配分される。図８Ａ及び図８Ｂは、第３実施例に係るダイジェストＤの構成の一例である。なお、図８Ａ及び図８Ｂは、ダイジェストＤが、視聴予約する「第１１話」以前の第２コンテンツのうちの「第５話」〜「第１０話」の各部分ダイジェストを含んで構成される場合を例示している。
【００６７】
たとえば「第６話」及び「第９話」が未視聴である場合、図８Ａのように、「第６話」及び「第９話」から生成される各部分ダイジェストの時間長ｔ６、ｔ９は、「第５話」、「第７話」、「第８話」、及び「第１０話」から生成される各部分ダイジェストの時間長ｔ５、ｔ７、ｔ８、ｔ１０よりも長く配分される。
【００６８】
一方、「第５話」〜「第１０話」が全て視聴済みである場合、図８Ｂのように、各部分ダイジェストの時間長ｔａ５〜ｔａ１０は、未視聴のコンテンツの部分ダイジェストの時間長（たとえば図８Ａのｔ６、ｔ９）よりも短い時間に設定される。
【００６９】
ここで、図８Ａ及び図８Ｂにおいて、未視済みのコンテンツの部分ダイジェストの時間長は第１実施例と同様にそれぞれ均等に配分されていてもよいし、第２実施例と同様にそれぞれ不均等に配分されていてもよい。未視聴のコンテンツの部分ダイジェストの時間長も同様である。
【００７０】
また、本実施形態において、部分ダイジェストの生成手段は特に限定しないが、その例として以下に挙げる手段を用いることができる。
【００７１】
たとえば、各コンテンツを所定時間毎に分割し、分割された各コンテンツの冒頭から所定の時間長部分を全て結合することにより、各コンテンツの部分ダイジェストを生成してもよい。
【００７２】
或いは、各コンテンツにおいて映像が著しく変化する場面を変化点とし、その変化点毎にコンテンツを分割する。分割されたコンテンツを時間長が長い順に複数結合することにより、各コンテンツの部分ダイジェストを生成してもよい。
【００７３】
或いは、各コンテンツにおいて音量が連続して閾値以上となる時間が設定時間以上となる部分を抽出することにより、各コンテンツの部分ダイジェストを生成してもよい。
【００７４】
或いは、各コンテンツにおいて時間軸上の輝度情報及び色情報の変化が設定比率以上となる各時点をテロップの開始時点又は終了時点とする。そして、テロップの開始時点から終了時点までを抽出することにより、部分ダイジェストを生成してもよい。
【００７５】
或いは、各コンテンツにおいて文字以外の特殊記号（たとえば「！」、「？」）を除く字幕が表示される部分を抽出することにより、各コンテンツの部分ダイジェストを生成してもよい。
【００７６】
以上、第１実施形態について説明した。第１実施形態によれば、液晶テレビジョン１００は、記憶部７、コンテンツ再生部８１、及びダイジェスト生成部８５を備える。記憶部７は、コンテンツの視聴予約の日時が設定される視聴予約情報７ｃ、及び、同じシリーズのコンテンツを管理するためのコンテンツ管理情報７ｅを格納する。コンテンツ再生部８１は、視聴予約情報７ｃに基づいて第１コンテンツを再生する。ダイジェスト生成部８５は、第１コンテンツに対応するコンテンツ管理情報７ｅに基づいて、第１コンテンツよりも前の内容を有する第２コンテンツを要約したダイジェストを生成する。また、コンテンツ再生部８１は、第１コンテンツの視聴予約時刻の直前の時間帯に視聴予約が設定されていない場合、ダイジェストを直前の時間帯に再生する。
【００７７】
この構成によれば、第１コンテンツの視聴予約時刻の直前の時間帯に視聴予約が設定されていない場合、その時間帯にダイジェストが再生される。このダイジェストには、同じシリーズの複数のコンテンツのうち、第１コンテンツよりも前の内容を有する第２コンテンツが要約されている。そのため、第１コンテンツを視聴するユーザは、その視聴予約時刻の直前にダイジェストを視聴することにより第１コンテンツよりも前のあらすじを確認することができる。従って、視聴予約した第１コンテンツに繋がる内容のコンテンツがある場合、視聴予約した第１コンテンツよりも前の内容をユーザに確認させることができる。
【００７８】
また、第１実施形態によれば、コンテンツ管理情報７ｅはコンテンツの視聴履歴を有する。また、ダイジェスト生成部８５は、第２コンテンツにおいて第１コンテンツの直前のコンテンツが未視聴である場合、視聴済みである場合よりも、直前のコンテンツを詳細な内容に要約する。
【００７９】
こうすれば、視聴予約した第１コンテンツの直前の内容のコンテンツ（すなわち前回のコンテンツ）は、未視聴であれば、詳細な内容に要約される。そのため、ユーザは、第１コンテンツの前回のあらすじをより詳細に知ることができる。
【００８０】
また、第１実施形態によれば、コンテンツ管理情報７ｅはコンテンツの視聴履歴を有する。また、ダイジェスト生成部８５は、第１コンテンツの直前の内容のコンテンツが視聴予約時刻から一定時間以内に視聴済みである場合、ダイジェストを生成しない。
【００８１】
視聴予約した第１コンテンツの直前の内容のコンテンツ（すなわち前回のコンテンツ）が視聴予約時刻から一定時間以内に視聴済みであれば、通常、ユーザはその内容を十分に憶えている。そのため、上記構成により、確認する必要が低いダイジェストを再度ユーザに確認させないようにすることができる。
【００８２】
また、第１実施形態によれば、第２コンテンツは複数のコンテンツを含み、ダイジェストは、複数のコンテンツ毎に要約した部分ダイジェストを含んでいる。
【００８３】
こうすれば、視聴予約した第１コンテンツより以前の複数のコンテンツの要約を十分に確認することができる。そのため、ユーザは、前回のコンテンツだけでなく、たとえば前々回のコンテンツなどの内容も確認することができる。
【００８４】
さらに、第１実施形態によれば、ダイジェスト生成部８５は、未視聴のコンテンツから生成される部分ダイジェストの時間長を視聴済みのコンテンツから生成される部分ダイジェストよりも長くする。
【００８５】
こうすれば、視聴予約した第１コンテンツよりも前の内容を有する第２コンテンツのうち、未視聴のコンテンツの内容をより詳しく確認することができる。また、視聴済みのコンテンツの内容は手短に確認できるので、ユーザはストレスなくダイジェストを視聴して前回までの内容を確認することができる。
【００８６】
また、第１実施形態によれば、液晶テレビジョン１００は、ユーザ入力を受け付ける入力部と、設定変更部８６と、をさらに備えている。入力部は、たとえば、赤外線受信部５及びリモコン２００を含んで構成される。また、設定変更部８６はユーザ入力に基づいて、部分ダイジェストの生成条件の設定を変更する。
【００８７】
こうすれば、ユーザは、部分ダイジェストの生成条件の設定を変更することができるので、ユーザの好みに合うダイジェストを作成することができる。
＜第２実施形態＞
【００８８】
次に、第２実施形態について説明する。第２実施形態では、視聴予約した第１コンテンツの視聴予約時刻の直前の時間帯に第３コンテンツが再生される場合であっても、その直前の時間帯にダイジェストをＭｙチャンネルで再生する。この際、第３コンテンツの表示画面の一部にはダイジェストが重ねて表示される。それ以外は、第１実施形態と同様である。以下では、第２実施形態について、第１実施形態と異なる事項について説明する。また、第１実施形態と同じ構成には同じ符号を付し、その説明を省略することがある。
【００８９】
図９は、第２実施形態における視聴予約表の表示画面の一例である。また、図１０は、第２実施形態におけるダイジェストの表示例である。図９では、連続ドラマの「第７話」の視聴予約を時間帯Ｇ３（５／２１  ＰＭ５：３０〜ＰＭ７：００）に設定する際、その直前の時間帯Ｇａ（５／２１  ＰＭ５：００〜ＰＭ５：３０）に他の視聴予約が設定されている。このような場合でも、連続ドラマの「第７話」に対するダイジェストの再生予定（視聴予約）を時間帯ｇ（たとえば５／２１  ＰＭ５：２８〜ＰＭ５：３０）に設定することができる。そして、ダイジェストの再生予定時刻になると、図１０のように、ダイジェストの表示画面１０２が、時間帯Ｇａに視聴予約された第３コンテンツの表示画面１０１にＰｉｎＰ（Picture in Picture）で表示される。
【００９０】
なお、図９及び図１０では、直前の時間帯Ｇａに他の視聴予約が設定されている場合について説明したが、直前の時間帯Ｇａにユーザがコンテンツを視聴している場合でも同様に、第１コンテンツのダイジェストをＰｉｎＰで表示してもよい。さらに、直前の時間帯ＧａにユーザがＭｙチャンネル以外のチャンネルでコンテンツを視聴している場合でも同様にダイジェストをＰｉｎＰで表示してもよい。
【００９１】
以上、第２実施形態について説明した。第２実施形態によれば、コンテンツ再生部８１は、第１コンテンツの視聴予約時刻の直前の時間帯に第３コンテンツが再生される場合、第３コンテンツとともにダイジェストを再生し、第３コンテンツの表示画面の一部にはダイジェストが重ねて表示される。
【００９２】
こうすれば、第１コンテンツの視聴予約時刻の直前の時間帯に視聴予約が設定されていたり、他のコンテンツが視聴されていたりしても、表示画面の一部にダイジェストを表示させることができる。そのため、ユーザはダイジェストを確実に確認することができる。従って、ユーザは容易にダイジェストを視聴して前回までの内容を確認することができる。
＜第３実施形態＞
【００９３】
次に、第３実施形態について説明する。第３実施形態では、ＳＴＢ３００（Set Top Box）が視聴予約機能を有する。以下では、第３実施形態について、第１及び第２実施形態と異なる事項について説明する。また、第１及び第２実施形態と同じ構成には同じ符号を付し、その説明を省略することがある。
【００９４】
図１１は、第３実施形態に係るＳＴＢ３００を液晶テレビジョン４００に接続したＡＶシステムの外観図である。図１１に示すように、ＳＴＢ３００は液晶テレビジョン４００にＨＤＭＩケーブル５００を介して接続されている。ＳＴＢ３００は、本発明の記録再生装置の一例である。液晶テレビジョン４００は、ＳＴＢ３００から出力されるコンテンツの映像を表示画面に表示する表示装置であり、コンテンツの音声をスピーカ３（不図示）から出力する。
【００９５】
次に、ＳＴＢ３００の構成について説明する。図１２は、第３実施形態に係るＳＴＢ３００の構成を示すブロック図である。第１実施形態におけるＳＴＢ３００は、本発明の記録再生装置の一例であり、図１２に示すように、チューナ部１と、入出力Ｉ／Ｆ４と、赤外線受信部５と、ＨＤＤ６と、記憶部７と、制御部８と、ＨＤＭＩ通信部（不図示）と、を備えている。このほか、ＳＴＢ３００は、ユーザ入力を受け付ける入力部（操作パネルなど）、光ディスクドライブ装置などを備えていてもよい。
【００９６】
入出力Ｉ／Ｆ４は、ＳＴＢ３００が外部機器（たとえば液晶テレビジョン４００）と通信するための通信インターフェースである。この入出力Ｉ／Ｆ４は、たとえば、ＨＤＭＩ規格に準拠する通信部（不図示）、インターネットなどのネットワークに接続可能なネットワークインターフェースなどを含んで構成されている。
【００９７】
記憶部７は、不揮発性の記録媒体であり、ＳＴＢ３００の各部（特に制御部８）に用いられるプログラム及び制御情報を格納している。また、図１２に示すように、記憶部７は、視聴予約機能に用いられる情報（たとえば、ＥＰＧ情報７ａと、録画予定情報７ｂと、視聴予約情報７ｃと、視聴不可予定情報７ｄと、コンテンツ管理情報７ｅ）も格納している。
【００９８】
制御部８は、記憶部７に格納されているプログラム及び制御情報などを用いて、ＳＴＢ３００の各部を制御している。制御部８は、コンテンツ再生部８１と、録画部８２と、ＥＰＧ取得部８３と、視聴計画生成部８４と、ダイジェスト生成部８５と、設定変更部８６と、を含んで構成されている。なお、これら制御部８に含まれる各部の動作は第１又は第２実施形態と同様であるため、説明は割愛する。
【００９９】
このほか、チューナ部１、赤外線受信部５、及びＨＤＤ６については、第１及び第２実施形態と同様に動作するため、その説明を省略する。
【０１００】
なお、第３実施形態では、本発明の記録再生装置の一例としてＳＴＢ３００を挙げたが、本発明の適用範囲はこの例示に限定されない。本発明の記録再生装置は、ＢＤレコーダ、ＤＶＤレコーダ、ＨＤＤレコーダの表示装置に接続可能なＡＶ装置で実現されていてもよい。さらに、本発明の記録再生装置は、たとえば図１１のようなＡＶシステムで実現されていてもよい。たとえば、本発明の記録再生装置の一部がＳＴＢ３００で実現され、本発明の記録再生装置の残りの一部が液晶テレビジョン４００で実現されてもよい。
【０１０１】
以上、本発明の実施形態について説明した。なお、上述の実施形態は例示であり、その各構成要素や各処理の組み合わせに色々な変形が可能であり、本発明の範囲にあることは当業者に理解されるところである。
【０１０２】
たとえば、上述の実施形態では、「シリーズもの」のコンテンツ群の例として、連続ドラマを挙げて説明しているが、「シリーズもの」のコンテンツ群はこの例示に限定されない。「シリーズもの」のコンテンツ群は、プロ野球の日本シリーズ戦の試合中継放送、「沈黙の○○」シリーズといった連作の映画コンテンツなど、互いに内容の繋がるコンテンツ群であればよい。或いは、ユーザ設定又は製造時の設定により予め関連付けられたコンテンツ群であってもよい。
【符号の説明】
【０１０３】
１００、４００          液晶テレビジョン
２００          リモートコントローラ
３００          ＳＴＢ
５００          ＨＤＭＩケーブル
１      チューナ部
１ａ      アンテナ
２      液晶ディスプレイ
３      スピーカ
４      入出力Ｉ／Ｆ
５      赤外線受信部
６      ＨＤＤ
７      記憶部
７ａ      ＥＰＧ情報
７ｂ      録画予定情報
７ｃ      視聴予約情報
７ｄ      視聴不可予定情報
７ｅ      コンテンツ管理情報
８      制御部
８１      コンテンツ再生部
８２      録画部
８３      ＥＰＧ取得部
８４      視聴計画生成部
８５      ダイジェスト生成部
８６      設定変更部
Ｄ      ダイジェスト
【図５】
2015019217.tif 000003
【図６Ａ】
2015019217.tif 000004
【図６Ｂ】
2015019217.tif 000005
【図６Ｃ】
2015019217.tif 000006
【図７Ａ】
2015019217.tif 000007
【図７Ｂ】
2015019217.tif 000008
【図８Ａ】
2015019217.tif 000009
【図８Ｂ】
2015019217.tif 000010
【図１】
2015019217.tif 000011
【図２】
2015019217.tif 000012
【図３】
2015019217.tif 000013
【図４】
2015019217.tif 000014
【図９】
2015019217.tif 000015
【図１０】
2015019217.tif 000016
【図１１】
2015019217.tif 000017
【図１２】
2015019217.tif 000018